(57)【要約】 【課題】レンジフード外側(室内側)に漏れる排気ガス量を大幅に削減することができるレンジフードを提供する。【解決手段】レンジフード１は、左右の側面板１ｂ、１ｃ、背面板１ｄ、上面板１ｅ及び前面板１ａで囲われ、下面が開口された箱状体１ｆの内部に、グリスフィルター２が斜め方向に取り付けられて構成されている。前面板１ａの下端部には、逆流防止板３が水平方向に取り付けられている。逆流防止板３の短辺長さｄは、箱状体１ｆの開口部奥行幅（Ｄ）に対する比Ｒ（＝ｄ／Ｄ）が、０．３３≧Ｒ≧０．２  の範囲となるように設定されている。【選択図】図１（ａ）
2010190529.tif 000002
【特許請求の範囲】
【請求項１】
下面に開口部を有し、両側面板、上面板及び前面板を含んで形成される箱状体と、該箱状体内部に一以上のグリスフィルターと、を備え、該箱状体内に捕集した排気ガスを排気送風機により屋外に排出するレンジフードにおいて、
捕集した排気ガスの逆流を防止するための逆流防止板を、該前面板の内面であって、
（ａ）該前面板下端部が該グリスフィルター下端部より低位置のときは、水平方向に、
（ｂ）該前面板下端部が該グリスフィルター下端部より高位置のときは、該逆流防止板の延長線が該グリスフィルター下端に当接する方向に、
設け、て成ることを特徴とするレンジフード。
【請求項２】
前記（ａ）の場合において、前記逆流防止板の短辺幅（ｄ）と前記開口部の奥行幅（Ｄ）の比（遮蔽率）Ｒ（＝ｄ／Ｄ）を、
０．４≧Ｒ≧０．１５   
に設定して成ることを特徴とする請求項１に記載のレンジフード。
【請求項３】
前記（ａ）の場合において、前記Ｒ（＝ｄ／Ｄ）を、
０．３３≧Ｒ≧０．２   
に設定して成ることを特徴とする請求項１に記載のレンジフード。
【請求項４】
前記両側面板を介して二の前記前面板と、前記箱状体内部に二の前記グリスフィルターと、を備え、かつ、
それぞれの前記前面板の内面に前記逆流防止板を設け、て成ることを特徴とする請求項１乃至３に記載のレンジフード。
【発明の詳細な説明】
【技術分野】
【０００１】
本発明はレンジフードに関し、特に、業務用厨房設備として好適なレンジフードに関する。
【背景技術】
【０００２】
従来、業務用厨房の分野では、調理場において調理加熱に伴い生じる排気ガスを、レンジフードで捕集して屋外に排出することが一般的である。この場合、レンジフードで捕集しきれない排気ガスが調理場に溢れ、調理場内の温度上昇による作業環境の悪化が問題となる。また、温度上昇を抑えるために過剰な空調を行う必要があり、省エネ化の要請に反するという問題がある。さらに、捕集率を上げるためには排気風量を大きくする必要があり、排気送風機の消費電力増大を招くという問題がある。
【０００３】
このような問題に対応するため、レンジフード前面板内側に逆流防止板（気流ガイド）を設ける技術が提案されている（特許文献１参照）。この技術によるレンジフード１００は図１３に示すように、前面板１０１内側の中段に水平方向に突設する遮蔽板（逆流防止板）１０２を備えている。これにより、前面板１０１内側に沿って逆流して下降する排気ガスが開口部下端から漏れ出すことを防ぎ、グリスフィルター１０４を介して排気用ダクト１０５に導くことにより、捕集率を向上させるものである。
【先行技術文献】
【特許文献】
【０００４】
【特許文献１】特開平１０−６８５４３号公報
【発明の開示】
【発明が解決しようとする課題】
【０００５】
しかしながら、排気ガス量が多い場合には、上記取付位置では捕集が不十分な場合が生じる。また、天井高が低い地下階の業務用調理場等に設置されるレンジフードについては、前面板深さが浅いケースが多く、特許文献１の方法では対応が困難な場合がある。
さらに、逆流防止板の上側部分には油分が溜まりやすく、前面板の中段に取り付けるタイプでは掃除が困難という問題もある。
【課題を解決するための手段】
【０００６】
本出願人らは鋭意研究の結果、逆流防止板の最適設置位置を見出し、試験により確認して本発明を完成した。本発明は以下の内容を要旨とする。すなわち、本発明に係るレンジフードは、
（１）下面に開口部を有し、両側面板、上面板及び前面板を含んで形成される箱状体と、該箱状体内部に一以上のグリスフィルターと、を備え、該箱状体内に捕集した排気ガスを排気送風機により屋外に排出するレンジフードにおいて、捕集した排気ガスの逆流を防止するための逆流防止板を、該前面板の内面であって、
（ａ）該前面板下端部が該グリスフィルター下端部より低位置のときは、水平方向に、
（ｂ）該前面板下端部が該グリスフィルター下端部より高位置のときは、該逆流防止板の延長線が該グリスフィルター下端に当接する方向に、設けて成ることを特徴とする。
（２）上記（１）（ａ）の場合において、において、前記逆流防止板の短辺幅（ｄ）と前記開口部の奥行幅（Ｄ）の比（遮蔽率）Ｒ（＝ｄ／Ｄ）を、０．４≧Ｒ≧０．１５  に設定して成ることを特徴とする。
（３）さらに好ましくは、上記Ｒを、０．３３≧Ｒ≧０．２   に設定して成ることを特徴とする。  
（４）上記各発明において、前記両側面板を介して二の前記前面板と、前記箱状体内部に二の前記グリスフィルターと、を備え、かつ、それぞれの前記前面板の内面に前記逆流防止板を設け、て成ることを特徴とする。
【発明の効果】
【０００７】
上記各発明によれば、前面板内側中段に逆流防止板を水平に取り付けた従来のレンジフードと比較して、レンジフード外側(室内側)に漏れる排気ガス量を大幅に削減することができ、調理場の作業環境改善に寄与するという効果がある。
また、捕集率の向上により室内温度上昇を小さくすることができ、空調負荷の減少により省エネルギー化に資する。
【０００８】
さらに、排気風量をより小さくできるため、排気送風機の消費電力のさらなる低減を図ることが可能になる。
また、室内に漏れ出す排気(オイルミスト、水蒸気) をより小さくできるため、室内をより衛生的、清潔にすることができる。
また、前面板下端部がグリスフィルター下端部より高位置のときであって、逆流防止板を、その延長線が該グリスフィルター下端に当接する方向に設ける発明にあっては、地下室等の天井高の低い調理室等にも対応できるという効果がある。
【図面の簡単な説明】
【０００９】
【図１（ａ）】第一の実施形態に係るレンジフード１の側面構成を示す図である。
【図１（ｂ）】レンジフード１の正面構成を示す図である。
【図２】下面開口部分１ｅと逆流防止板３の関係を示す図である。
【図３】ガスレンジ６使用時における排気の流れを示す図である。
【図４】第二の実施形態に係るレンジフード２０の断面構成を示す図である。
【図５】第三の実施形態に係るレンジフード３０の断面構成を示す図である。
【図６】第四の実施形態に係るレンジフード４０の断面構成を示す図である。
【図７】実施例１のｄ＝１５０条件のときの周囲温度分布図である。
【図８】実施例１のｄ＝２５０条件のときの周囲温度分布図である。
【図９】実施例１のｄ＝３５０条件のときの周囲温度分布図である。
【図１０】実施例１の逆流防止板なし条件のときの周囲温度分布図である。
【図１１】実施例２条件のときの周囲温度分布図である。
【図１２】実施例３条件のときの周囲温度分布図である。
【図１３】従来のレンジフード１００の側面構成を示す図である。
【発明を実施するための形態】
【００１０】
以下、本発明に係るレンジフードの実施形態について、図１乃至７を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
（第一の実施形態）
図１（ａ）は、本発明の一実施形態に係るレンジフード１の断面構成を示す図である。
図１（ｂ）は、レンジフード１の正面構成を示す図である。
図２は、下面開口部の詳細構成を示す図である。
図３は、ガスレンジ６使用時における排気の流れを示す図である。
図１（ａ）、（ｂ）を参照して、壁面４に接して配置されるレンジフード１は、左右の側面板１ｂ、１ｃ、背面板１ｄ、上面板１ｅ及び前面板１ａで囲われ、下面が開口された箱状体１ｆの内部に、グリスフィルター２が斜め方向に取り付けられて構成されている。上面板１ｅには排気用ダクト７ａが接続されており、排気用ダクト７ａはさらに集合ダクト７に接続されている。前面板１ａの下端部には、逆流防止板３が水平方向に取り付けられている。箱状体１ｆの各構成にはステンレス薄板材料が用いられている。レンジフード１の下方には、複数のトップバーナ６ａを有するガスレンジ６が配置されている。前面板１ａの深さＨは、グリスフィルター２の垂直方向高さＨｇより大きく形成されている。
【００１１】
図２を参照して、逆流防止板３の短辺幅ｄは、箱状体１ｆの奥行（Ｄ）に対する比Ｒ（＝ｄ／Ｄ）が、０．３３≧Ｒ≧０．２  の範囲となる大きさに設定されている。ここに、逆流防止板の面積Ｓ１、逆流防止板３取付状態における実質開口面積Ｓ２、箱状体１ｆの開口部面積Ｓ（＝Ｓ１＋Ｓ２）とすると、Ｒ＝Ｓ１／Ｓであり、Ｒは遮蔽率に該当する。
【００１２】
次に、図３を参照して、ガスレンジ６使用時におけるレンジフード１の排気の流れについて説明する。排気用送風機７ｂは常時稼動しているため、トップバーナ６ａ燃焼による排気はレンジフード１内に吸い込まれ、グリスフィルター２を通過して排気用ダクト７ａに導かれる。さらに、集合ダクト７で他の箇所から導かれた排気と合流して、屋外に排出される。その際、排気の一部がグリスフィルター２に吸い込まれず、前面板１ａに沿って下降する逆流が生じることがある。しかしながら、レンジフード１においては、逆流防止板３の取り付けにより排気フィルター２方向に向かう流速が増大する。この現象により、逆流防止板３に当たる下降流がフィルター２方向に向く流れに沿うため、箱状体１ｆ外への流出が阻まれ、大部分がグリスフィルター２を通過して排気用ダクト７ａに導かれる。このような作用により、下降流の室内側への漏れ出しを極力回避することができる。
【００１３】
なお本実施形態では、排気用ダクト７ａが上面板１ｅを貫通して集合ダクト７に接続する例を示したが、集合ダクトに接続することなく、直接壁面を貫通して排気する形態とすることもできる。
また、背面板１ｄを備えたレンジフードの例を示したが、壁面４の一部を背面板として代用する形態とすることもできる。
【００１４】
（第二の実施形態）
さらに、本発明の他の実施形態について説明する。図４は、第二の実施形態に係るレンジフード２０の断面構成を示す図である。
同図を参照して、レンジフード２０が上述のレンジフード１と異なる点は、前面板の深さである。すなわち、レンジフード１ではＨ＞Ｈｇであるのに対して、レンジフード２０では、前面板２２の深さＨ２はグリスフィルター２の垂直方向高さＨｇより小さく（浅く）構成されている。
さらに、逆流防止板２１が水平方向ではなく、短辺の延長線Ｌ１がグリスフィルター下端に当接する角度に取り付けられている。その他の構成については、レンジフード１と同一であるので、重複説明を省略する。また、煩雑を回避するため図示を省略するが、側面板は斜辺が延長線Ｌ１と重なる台形形状に構成されている。
このような構成により、レンジフード２０についてもレンジフード１と同様に、前面板２２に沿って下降する排気流Ｆは、逆流防止板２１に遮られて室内に溢れることなく、大部分がグリスフィルター２を通過して排気用ダクト７ａに導かれる。
本構成は、天井高が低い厨房に設置され、レンジフードの前面板の長さが十分に確保できない場合に、特に有効である。
【００１５】
（第三の実施形態）
さらに本発明の他の実施形態について説明する。図５は、本実施形態に係るレンジフード３０の断面構成を示す図である。
同図を参照して、レンジフード３０が上述のレンジフード１と異なる点は、逆流防止板の取付位置及び取付角度である。すなわち、レンジフード１では、逆流防止板３は前面板１ａの下端に取り付けられているのに対して、レンジフード３０については、逆流防止板３１は前面板３２の中段位置に取り付けられている。さらに、レンジフード２０と同様に水平方向ではなく、短辺の延長線Ｌ２がグリスフィルター下端に当接する角度に取り付けられている。その他の構成については、レンジフード１と同一であるので重複説明を省略する。
このような構成により、レンジフード３０についてもレンジフード１又は２０と同様に、前面板３２に沿って下降する排気流Ｆは、逆流防止板３１に遮られて室内に溢れることなく、大部分がグリスフィルター２を通過して排気用ダクト７ａに導かれる。
【００１６】
（第四の実施形態）
さらに本発明の他の実施形態について説明する。図６は、本実施形態に係るレンジフード４０の断面構成を示す図である。
同図を参照して、レンジフード４０が上述の各レンジフードと異なる点は、単一のグリスフィルターではなく、油受部４３を挟んで２個のグリスフィルター４２ａ、４２ｂが、対向して配設されていることである。逆流防止板４１ａ、４１ｂは、それぞれ前面板４０ａ、背面板４０ｂの下端部に取り付けられている。また、レンジフード２０、３０と同様に、各逆流防止板の取付方向は水平方向ではなく、それぞれの短辺延長線Ｌ３、Ｌ４がそれぞれグリスフィルター４２ａ、４２ｂ下端に当接する角度に取り付けられている。
このような構成により、レンジフード３０についてもレンジフード１等と同様に、前面板４０ａ又は背面板４０ｂに沿って下降する排気流Ｆは、逆流防止板４１ａ、４１ｂに遮られて室内に溢れることなく、大部分がグリスフィルター４２ａ、４２ｂを通過して排気用ダクト７ａに導かれる。
【実施例１】
【００１７】
本発明の効果を確認するため、本発明に係るレンジフードをガスレンジ直上に配置して、バーナ燃焼時のレンジフード周辺空気の温度分布をサーモグラフィーにより測定し、結果を可視化して捕集性能を評価した。逆流防止板なし、特許文献１による従来タイプ（前面板の中段に水平取付）についても同様に測定を行い、比較した。
＜実施例１＞
水平に取り付ける逆流防止板の種々の短辺幅ｄ及び取付位置ｈ（上面板からの距離）の組み合わせについて、バーナ燃焼時の温度分布を比較した。
【００１８】
（試験装置）
レンジフード、ガスレンジ等、試験装置の仕様を表１に示す。また、表２に試験に用いた逆流防止板の短辺幅ｄ、取付位置ｈの条件を示す。
【表１】
2010190529.tif 000003
【００１９】
【表２】
2010190529.tif 000004
【００２０】
（試験結果）
表３に試験条件マトリックスと対応図番号を示す。なお、各図には、当該条件の概略図及び周囲温度分布が記載されている。
【表３】
2010190529.tif 000005
（結果分析）
・逆流防止板を取り付けたタイプ（図７−図９）は、いずれも逆流防止板なしタイプ（図１０）と比較して、温度分布が改善されている。
・ｄ＝１５０ｍｍの場合、図７（ａ）〜（ｃ）を比較すると、逆流防止板位置が下端部に近くなるほど高温領域が小さく、捕集性能が向上していることが分かる。
・ｄ＝２５０ｍｍの場合、ｄ＝１５０ｍｍの場合と同様に、逆流防止板位置が下端部に近いほど捕集性能が向上していることが分かる。また、同じ取付位置で比較すると、１５０ｍｍより性能が向上している。
・ｄ＝３５０ｍｍの場合、下端部に近いほど捕集性能が向上するのは上記と同じだが、ｄ＝２５０ｍｍの場合に比べ全体的に高温度部位が大きく、捕集性能が劣っていると判断される。
【００２１】
（評価）
以上の結果を、下端開口部における遮蔽率Ｒとの関係で整理すると、表４の通りとなる。これより、Ｒ＝０．２０、０．３３、かつ、前面板下端近傍に逆流防止板を取り付けたタイプが、捕集性能良好（同表において○又は◎）と判定できる。
これらの結果から、従来タイプ以上の捕集性能が得られる範囲（同表において△）は、Ｒの上限値０．４程度、下限値０．２程と推定される。また、上限値を０．３３までにすると、さらに良好な捕集結果が得られることが分かった。
【表４】
2010190529.tif 000006
【００２２】
＜実施例２＞
次に、短辺幅２５０ｍｍの逆流防止板を用いて、取付位置と取付角度を変化させた各タイプについて、捕集性能を比較した。その他の試験条件は実施例１と同一である。表５に、逆流防止板取付条件との対応図番号及び評価を示す。
【表５】
2010190529.tif 000007
（※）短辺延長線がグリスフィルター下端部に当接する方向
（結果分析）
いずれのタイプについても良好な結果を得た。特に、前面板下端＋水平方向タイプ、前面板中段＋グリスフィルター方向タイプは、優れた捕集性能を示した。
【００２３】
＜実施例３＞
さらに、前面板の深さが浅いレンジフード（Ｈ＝２３０ｍｍ）について、逆流防止板を取り付けたときの捕集性能を評価した。他の条件は実施例１と同一条件である。
【表６】
2010190529.tif 000008
（結果分析）
レンジフード前面側に溢れる排気の温度を比較すると、（ａ）は（ｂ）と比較して低温度であり、有意差があると判定される。
【００２４】
（総合評価）
実施例１−３の結果から、前面板の深さ（Ｈ）がグリスフィルター垂直方向高さ（Ｈｇ）に比べて大きく（Ｈ＞Ｈｇ）、かつ、逆流防止板の取付け位置が前面板の最下端の場合には、逆流防止板の向きには余り影響されないといえる。
これに対して、Ｈ＞Ｈｇであっても、逆流防止板の取付け位置が上部の場合には、逆流防止板の向きをグリスフィルター下端方向に向けることが有効といえる。Ｈ＜Ｈｇ、かつ、逆流防止板の取付け位置を最下端に設ける場合についても同様である。
【産業上の利用可能性】
【００２５】
本発明は、用途（家庭用・業務用）、熱源（ガス、電気等）を問わず、また、レンジ調理機のみならず、茹で麺器、グリドル等、種々の調理器用レンジフードとして広く適用可能である。
【符号の説明】
【００２６】
１，２０，３０，４０・・・レンジフード
１ａ、２２、３２、４０ａ・・・前面板
１ｂ・・・側面板
１ｃ、４０・・・背面板
１ｄ・・・背面板
２、４２ａ、４２ｂ   グリスフィルター
３、２１、３１、４１ａ・・・逆流防止板
６・・・ガスレンジ
７・・・集合ダクト
７ａ・・・排気用ダクト
７ｂ・・・排気用送風機
【図１（ａ）】
2010190529.tif 000009
【図１（ｂ）】
2010190529.tif 000010
【図２】
2010190529.tif 000011
【図３】
2010190529.tif 000012
【図４】
2010190529.tif 000013
【図５】
2010190529.tif 000014
【図６】
2010190529.tif 000015
【図１３】
2010190529.tif 000016
【図７】
2010190529.tif 000017
【図８】
2010190529.tif 000018
【図９】
2010190529.tif 000019
【図１０】
2010190529.tif 000020
【図１１】
2010190529.tif 000021
【図１２】
2010190529.tif 000022